(57)【要約】【課題】通信端末の操作中に着信があっても、現在の操作状態を変えることなく着信表示をする通信端末を提供する。【解決手段】所定の機能画面を表示する表示部を有する通信端末において、前記通信端末の表示部を、少なくとも待受画面から機能画面に切り替えているときに着信を受けると、前記機能画面を保持した状態で前記表示部の一部に着信の表示をする。【選択図】　図３
2004007144.tif 000002
【特許請求の範囲】
【請求項１】
所定の機能画面を表示する表示部を有する通信端末において、
前記通信端末の表示部を、少なくとも待受画面から機能画面に切り替えているときに着信を受けると、前記機能画面を保持した状態で前記表示部の一部に着信の表示をすることを特徴とする通信端末。
【請求項２】
前記表示部の一部には、少なくとも前記通信端末の状態を表示するピクト表示領域を含むことを特徴とする請求項１に記載の通信端末。
【請求項３】
使用者の操作に対応して所定の機能画面を表示する表示部を有する通信端末において、
使用者の操作中に前記通信端末に着信があると、前記表示部は、所定の機能画面を保持した状態で、該機能画面内に着信を上書き表示することを特徴とする通信端末。
【請求項４】
使用者の操作に対応して所定の機能画面を表示する表示部を有する通信端末において、
使用者の操作中に前記通信端末に着信があると、前記表示部における操作入力位置を判定し、該操作入力位置とは異なる位置に着信の表示をすることを特徴とする通信端末。
【請求項５】
所定の機能画面を表示する第１表示部と、該第１表示部より小さい第２表示部とを有する通信端末において、
前記第１表示部を待受画面から機能画面に切り替えているときに前記通信端末に着信があると、前記第２表示部に当該着信の表示をすることを特徴とする通信端末。
【請求項６】
少なくとも機能モードと、該機能モードに対応して所定の情報を表示する表示部とを有する通信端末において、
前記機能モード中に、前記通信端末に着信があると、該機能モードを保持した状態で前記表示部の一部に着信の表示をすることを特徴とする通信端末。
【請求項７】
少なくとも機能モードと、該機能モードに対応して所定の情報を表示する第１表示部と、該第１表示部より小さい第２表示部とを有する通信端末において、
前記機能モード中に前記通信端末に着信があると、前記第２表示部に当該着信の表示をすることを特徴とする通信端末。
【発明の詳細な説明】
【０００１】
【発明が属する技術分野】
本発明は、通信端末に関し、特に表示部に着信に関する情報を表示して、着信を報知するする携帯電話機等の通信端末に関する。
【０００２】
【従来の技術】
携帯電話機、ＰＤＡ端末等の通信端末は、無線基地局との間に電波による通信回線を設定し、無線により音声、データ等を送受して通信を行うものであり、送受信部の他、通信端末全体を統括して制御する制御部を有している。また、通信端末の一つである携帯電話機は、電話機に対する操作指示を入力する操作部と、操作に関する情報を表示する表示部とを有し、操作部及び表示部は制御部によって制御されている。そして、この表示部には、操作に関する情報を表示する領域の他に、携帯電話機の作動状態を表示するピクト部が設けられている。
【０００３】
携帯電話機は、通常の待受時において待受画面を表示している（なお、消費電力を抑えるために画面表示を停止している場合もある）。そして、携帯電話機の使用者からの操作入力に伴って画面を機能に関する機能画面に切り替える。使用者は、表示部に表示される携帯電話機の機能画面を見ながら操作部を操作して携帯電話機に対する動作の指示をする。例えば、操作部を操作して、表示部に表示される操作メニューに従って携帯電話機の着信音の設定をしたり、表示部に表示される入力項目に従ってメモリダイヤル（電話帳）の登録をしたり、送信するメールを作成したり、静止画像や動画を表示させたり、単にカメラが写している被写体を表示させたり、ゲームをしていたり、その他のアプリケーションを使用したりすることなど、これらの携帯電話機（通信端末）の動作に関する画面が機能画面に含まれる。
【０００４】
なお、待受画面とは、上述した機能画面以外の画面であり、例えば使用者が操作をしていない状態の画面である。近年の携帯電話機では、電波強度、電池残量、時刻などのほかに壁紙やアニメーションを表示しているものもある。
【０００５】
【発明が解決しようとする課題】
しかし、使用者が、携帯電話機に対して動作の指示を操作している途中に着信があると、表示部には着信があった旨を報知する着信画面が優先して表示され、機能画面が消去されてしまう問題があった。また、着信表示をする際に、操作指示の途中の情報を格納したとしても、該着信に関する通話後に改めて機能画面を表示して入力操作を行わなければならず、操作が煩雑となる問題があった。
【０００６】
また、着信時において、入力操作を優先して、着信表示を行わないよう制御すると、着信があったことが分からずに、重要な相手先からの着信を見逃してしまう問題があった。
【０００７】
また、着信音、光、振動等によって着信を報知しても、誰からの着信なのかが表示部に表示されないと、発信者が分からず、電話に出るべきか否かの判断が困難であった。
【０００８】
このように、携帯電話機の操作中に着信があった場合でも、該操作を継続しつつ、着信情報を表示することができる携帯電話機が求められていた。本発明は、通信端末の操作中に着信があっても、現在の操作状態を変えることなく着信表示をする通信端末を提供することを目的とする。
【０００９】
【課題を解決するための手段】
第１の発明は、所定の機能画面を表示する表示部を有する通信端末において、前記通信端末の表示部を、少なくとも待受画面から機能画面に切り替えているときに着信を受けると、前記機能画面を保持した状態で前記表示部の一部に着信の表示（例えば、該着信の発信者情報の表示）をすることを特徴とする。
【００１０】
ここで、機能画面を保持した状態とは表示部に表示されている機能画面を何ら変更しない態様や機能画面のおおよその表示内容を変更しない態様などが含まれる。
【００１１】
第２の発明は、第１の発明において、前記表示部の一部には、少なくとも前記通信端末の状態を表示するピクト表示領域を含むことを特徴とする。
【００１２】
第３の発明は、使用者の操作に対応して所定の機能画面を表示する表示部（９）を有する通信端末において、使用者の操作中に前記通信端末に着信があると、前記表示部は、所定の機能画面を保持した状態で、該機能画面内に着信を上書き表示する（例えば、着信情報をポップアップ表示する）ことを特徴とする。
【００１３】
第４の発明は、使用者の操作に対応して所定の機能画面を表示する表示部を有する通信端末において、使用者の操作中に前記通信端末に着信があると、前記表示部における操作入力位置を判定し、該操作入力位置とは異なる位置に着信の表示をすることを特徴とする。
【００１４】
第５の発明は、所定の機能画面を表示する第１表示部と、該第１表示部より小さい第２表示部とを有する通信端末において、前記第１表示部を待受画面から機能画面に切り替えているときに前記通信端末に着信があると、前記第２表示部に当該着信の表示をすることを特徴とする。
【００１５】
第６の発明は、少なくとも機能モードと、該機能モードに対応して所定の情報を表示する表示部とを有する通信端末において、前記機能モード中に、前記通信端末に着信があると、該機能モードを保持した状態で前記表示部の一部に着信の表示をすることを特徴とする。
【００１６】
第７の発明は、少なくとも機能モードと、該機能モードに対応して所定の情報を表示する第１表示部と、該第１表示部より小さい第２表示部とを有する通信端末において、前記機能モード中に前記通信端末に着信があると、前記第２表示部に当該着信の表示をすることを特徴とする。
【００１７】
【発明の作用および効果】
第１の発明では、所定の機能画面を表示する表示部を有する通信端末において、前記通信端末の表示部を、少なくとも待受画面から機能画面に切り替えているときに着信を受けると、前記機能画面を保持した状態で前記表示部の一部に着信の表示をするので、現在の表示内容の主要部を消去することなく着信情報を表示することができ、通信端末の状態を変えることなく着信情報を表示することができる。
【００１８】
第２の発明では、前記表示部の一部には、少なくとも前記通信端末の状態を表示するピクト表示領域を含む。すなわち、ピクト表示領域は機能画面において当該機能に関して使用されない表示領域であり、このようなピクト表示領域に着信の報知をするので、操作の妨げにならないで着信を報知することができる。
【００１９】
第３の発明では、使用者の操作に対応して所定の機能画面を表示する表示部（９）を有する通信端末において、使用者の操作中に前記通信端末に着信があると、前記表示部は、所定の機能画面を保持した状態で、該機能画面内に着信を上書き表示するので、通信端末の使用者に着信の報知を気付かせやすい。
【００２０】
第４の発明では、使用者の操作に対応して所定の機能画面を表示する表示部を有する通信端末において、使用者の操作中に前記通信端末に着信があると、前記表示部における操作入力位置を判定し、該操作入力位置とは異なる位置に着信の表示をするので、現在行われている操作入力を妨げることなく着信情報を表示することができ、通信端末の操作を中断することなく着信情報を表示することができる。
【００２１】
第５の発明では、所定の機能画面を表示する第１表示部と、該第１表示部より小さい第２表示部とを有する通信端末において、前記第１表示部を待受画面から機能画面に切り替えているときに前記通信端末に着信があると、前記第２表示部に当該着信の表示をするので、現在第１表示部に表示されている操作入力に関する情報を消去することなく、第１表示部の表示に基づいて行われている操作入力を妨げることなく、第２表示部に着信情報を表示することができ、通信端末の操作を中断することなく着信情報を表示することができる。
【００２２】
第６の発明では、少なくとも機能モードと、該機能モードに対応して所定の情報を表示する表示部とを有する通信端末において、前記機能モード中に、前記通信端末に着信があると、該機能モードを保持した状態で前記表示部の一部に着信の表示をするので、現在の表示内容の主要部を消去することなく着信情報を表示することができ、機能モードを解除することなく着信情報を表示することができる。
【００２３】
第７の発明では、少なくとも機能モードと、該機能モードに対応して所定の情報を表示する第１表示部と、該第１表示部より小さい第２表示部とを有する通信端末において、前記機能モード中に前記通信端末に着信があると、前記第２表示部に当該着信の表示をするので、現在第１表示部に表示されている機能モードに関する情報を消去することなく、第１表示部の表示に基づいて行われている機能モードの操作入力を妨げることなく、第２表示部に着信情報を表示することができ、機能モードの操作を中断することなく着信情報を表示することができる。
【００２４】
【発明の実施の形態】
次に、本発明の実施の形態について、携帯電話機を例として、図面を参照して説明する。
【００２５】
図１は、本実施の形態の携帯電話機の主要な構成を示すブロック図である。
【００２６】
アンテナ１は送受信部２に接続されており、無線基地局からの電波を受信し、無線基地局に対し電波を送信する。送受信部２は送信部及び受信部により構成され、送信部はアンテナ１から送信する高周波信号を生成する。受信部はアンテナ１で受信した高周波信号を増幅、周波数変換等をして、ベースバンド信号としてＲＦ制御部３に出力する。
【００２７】
ＲＦ制御部３はベースバンド部及び無線制御部により構成されており、ベースバンド部は、ベースバンド部内のコーデック部にて、ベースバンド信号を音声信号に復調する。また、コーデック部では音声信号を変調し、ベースバンド信号を生成する。さらに、無線制御部では、送受信部２が送受信する周波数や、送受信タイミング、送信する電波の出力を制御する。
【００２８】
また、制御部４は、主にＣＰＵにて構成されており、ＲＡＭ５及びＲＯＭ６に記憶されたデータに基づいて、送受信部２、操作部７、表示インターフェース８、表示部９等の携帯電話機の各部を制御する。操作部７は、文字、数字の入力、携帯電話機への動作の指示を受け付ける。表示インターフェース８は、制御部４からの表示データを受け、表示部９を駆動するドライバ回路である。また、携帯電話機への着信を報知する着信ランプ（図示省略）が設けられている。
【００２９】
表示部９は、表示インターフェース８に駆動され、文字情報、携帯電話機の動作状態等を表示する液晶表示パネルと、液晶表示パネルを照明するバックライトとによって構成される。また、表示部９は、主表示部９ａと副表示部９ｂとで構成されている。主表示部９ａは、通信により送られてきた文字情報や、操作に関する情報として操作メニュー、入力項目や、キー入力のエコーバックを表示する。また、副表示部９ｂは、専ら、携帯電話機の状態（電波強度、電池残量、時刻など）又は携帯電話機の操作に関する情報を表示したり、機能キー（ファンクションキー）に現在割り当てられている機能を表示するものであり、主表示部９ａより小さく、主表示部９ａ内の一部の表示エリアに設けられる。なお、副表示部９ｂを、主表示部９ａとは別の表示パネルとして構成してもよい。また、主表示部９ａと副表示部９ｂとが略同一平面上など同一方向から視認し得る位置に設けられているものであれば、主表示部９ａと副表示部９ｂとが別の面（例えば、正面と背面等の同一方向から視認し得ない位置）に設けられているものに比べて使用者が操作中に着信の表示を認識しやすい。
【００３０】
さらに、携帯電話機には、音響信号を電気信号に変換する送話部（図示省略）、電気信号を音響信号に変換する受話部（図示省略）を有している。
【００３１】
図２は、本発明の実施の形態の携帯電話機において着信待受時の動作を示すフローチャートである。
【００３２】
制御部では、携帯電話機の動作を司るメインプログラムが動作している。このメインプログラムでは、操作部のキースイッチが操作されたかを、定期的にスキャンして監視している（Ｓ１０１）。設定スイッチが操作されたことを検出すると（Ｓ１０１で”有”）、機能の設定やメモリダイヤル登録や、メールの作成や、着信音の設定等の付加機能を実行する設定モードに移行し、表示部にこれらの付加機能設定のための機能画面（例えば、図３（ａ）に示すメニュー画面や着信音の設定画面、メール作成・閲覧画面、電話帳設定画面）を表示する（Ｓ１０２）。なお、この設定モードとは使用者が付加機能の設定操作を行っているモードを示し、機能モードの一部である。従って、機能モードは上述の設定モード以外にもカメラ（図示省略）から画像を取り込むカメラモードや、記憶されている画像の閲覧モード、ゲームモード、電卓モードなども含まれる。
【００３３】
そして、設定モード中に携帯電話機への着信を検出すると（Ｓ１０３）、基地局から送信されてきた呼出信号から発信者番号等の発信者情報を抽出する。そして、発信者番号をＲＡＭ５に格納し、この着信に関する発信者番号をメモリダイヤル中から検索して、メモリダイヤルに一致する電話番号が記憶されていたら、発信者番号と共に、対応する名前をＲＡＭ５に記憶する（Ｓ１０４）。
【００３４】
なお、この着信がメールの着信であれば、発信者メールアドレス（又は発信者電話番号）及びメールデータ（メール本文）をＲＡＭ５に格納し、この着信に関する発信者メールアドレス（又は発信者電話番号）をメモリダイヤル中から検索して、メモリダイヤルに一致する発信者メールアドレス（又は発信者電話番号）が記憶されていたら、メールデータと共に対応する名前をＲＡＭ５に記憶する（Ｓ１０４）。
【００３５】
そして、着信ランプを点滅させ、使用者に着信があったことを報知すると共に、ＣＰＵが、設定モードを継続しているか否かを判断する（Ｓ１０５）。設定モードを継続している場合とは、設定モードのアプリケーションが起動している状態であり、このステップＳ１０５の判定は、着信を受けて、メモリダイヤルを検索する間にアプリケーションを終了していないか否かを判断するためのものである。そして、設定モードが継続していると判断されたならば（Ｓ１０５で”Ｙｅｓ”）、該着信に関する発信者電話番号等の情報（着信情報）の表示位置を後述の方法により決定する（Ｓ１０６）。
【００３６】
この着信情報の表示位置としては、表示画面のピクト部を選択する方法がある。すなわち、図３にて後述するように、表示画面の上部には携帯電話機に動作状態（電池残量、電界強度等）を図形（ピクトグラム）によって表示するピクト部が設けられており、このピクト部に着信情報を表示するように表示位置を決定する。なお、着信があった旨を強調するため、ピクト部に着信表示をすると共に、機能画面の一部を使用して文字を大きく表示することも可能である。
【００３７】
また、着信情報の表示位置として、現在実行中の設定モードにおける操作（特に、データの入力）を阻害しない位置を選択する方法もある。すなわち、入力操作中のカーソル位置を判断し、カーソル位置から遠い部分に着信情報を表示するように表示位置を決定する。これは、カーソル位置に近い位置に表示してしまうと、入力操作を阻害してしまうからである。なお、入力操作中のカーソル位置に加え、今後入力される項目（すなわち、この後にカーソルが移動する方向）を判断し、カーソルが移動する方向とは異なる位置に着信情報を表示するように表示位置を決定することもできる。この場合は、カーソルが移動する方向に表示してしまうと、入力が進むにつれて表示が入力操作等を阻害してしまうことを防ぐためである。
【００３８】
着信情報の表示位置が決定したら、この表示位置に表示領域を設け、ステップＳ１０４でＲＡＭ５に格納した発信者番号、対応する名前（メールの着信の場合は、発信者メールアドレス、対応する名前、メールデータ）を表示部９に表示する。
【００３９】
そして、通話キーが操作されたか否かを検出し（Ｓ１０８）、通話キーの操作を検出すると（Ｓ１０８で”Ｙｅｓ”）、基地局との間で通話チャネルを設定して、通話状態に移行する（Ｓ１０９）。
【００４０】
一方、通話キーの操作が検出されなければ（Ｓ１０８で”Ｎｏ”）、発信者番号を表示した着信報知状態を維持したまま、設定モードを継続する（Ｓ１１３）。
【００４１】
また、ステップＳ１０５で、設定モードの解除と判断されたら、着信情報を表示画面全面に表示する通常の着信表示をする（Ｓ１１１）。そして、通話キーが操作されたか否かの検出処理（Ｓ１１４）に移行する。
【００４２】
図３は、本発明の実施の形態の携帯電話機における表示部の表示内容を説明する図であり、通話の着信があった場合の表示画面を示す。
【００４３】
図３（ａ）は、電話機の機能として着信音パターンを設定中の画面の表示を示す。この画面では着信の種類毎に着信音を設定することができるものであり、画面の最上部に携帯電話機の動作状態を示す図形（ピクトグラム）が表示されるピクト部が設けられている。本実施の形態のピクト部には、左から順に、携帯電話機の動作時間を示す電池残量表示、携帯電話機が受信している基地局からの電波の強さを示す電界強度表示、時刻表示、操作可能な方向キーを示す表示がされている。
【００４４】
図３（ｂ）は、携帯電話機に音声による通話の着信があり、設定モードが継続された場合の表示例（図２のステップＳ１０７）を示し、この着信に関する情報（着信情報）がピクト部に表示されている。すなわち、ピクト部には、着信があった旨を表示する「着信」の文字と、発信者の電話番号に基づいてメモリダイヤルの記憶内容を検索して読み出した発信者名を表示している。なお、発信者名ではなく発信者の電話番号を表示するように構成してもよい。
【００４５】
このとき、着信情報は、表示部の最上部（ピクト部）に着信情報を表示する表示領域を設けて表示されるので、現在実行中の機能設定画面を消去して、機能設定を中断することなく、着信前の画面（図３（ａ））の操作に関する表示部分を保持したまま、発信者名等の着信情報を表示することができる。
【００４６】
図３（ｃ）は、着信情報表示（図３（ｂ））後、通話に移行した状態（図２のステップＳ１０９）の表示例を示す。通話状態では、現在実行中の機能設定画面を着信前（図３（ａ））と同様に保持したまま、表示部の最上部（ピクト部）に通話中である旨及び通話時間が表示される。
【００４７】
このように、着信中（着信表示中）も、通話中も、現在実行中の機能設定画面を保持しているので、通話中も設定操作が可能である。
【００４８】
図３（ｄ）は、終話キーによる終話操作がされ、通話が終了した状態を示す。通話終了後も、着信前の画面（図３（ａ））が維持される。
【００４９】
図４は、本発明の実施の形態の携帯電話機における表示部の表示内容を説明する図であり、メールの着信があった場合の表示画面を示す。
【００５０】
図４（ａ）は、電話機の機能として着信音パターンを設定中の画面の表示を示す。画面の最上部に携帯電話機の動作状態を示す図形（ピクトグラム）が表示されるピクト部が設けられており、電池残量表示、電界強度表示、時刻表示、操作可能キー方向表示がされている。
【００５１】
図４（ｂ）は、携帯電話機にメールの着信があり、設定モードが継続された場合の表示例（図２のステップＳ１０７）を示し、着信したメールに関する情報がピクト部に表示されている。すなわち、ピクト部には、メールの着信があった旨を表示する図形と、発信者のメールアドレス等に基づいてメモリダイヤルの記憶内容を検索して読み出した発信者名を表示している。なお、発信者名ではなく発信者のメールアドレスや電話番号を表示するように構成してもよい。
【００５２】
このとき、メール着信情報は、表示部の最上部（ピクト部）に着信情報を表示する表示領域を設けて表示されるので、現在実行中の機能設定画面を消去して、機能設定を中断することなく、着信前の画面（図４（ａ））の操作に関する表示部分を保持したまま、発信者名等のメール着信情報を表示することができる。
【００５３】
図４（ｃ）、図４（ｄ）は、メールの本文がピクト部に表示されている状態を示す。図４（ｂ）の状態から、ピクト部に表示されたメール着信情報が横スクロールして、メール発信者氏名の後にメール本文が左に流れるように表示される。なお、スクロール表示ではなく、メール着信情報とメール本文とを切り替えて交互に表示するように構成してもよい。なお、メール本文でなくメールの件名を表示するように構成してもよい。
【００５４】
このように、メールを受信したときでも、現在実行中の機能設定画面を保持しているので、設定操作を中断することなく、着信メールに関する情報を確認することができ、さらにメール本文も確認することが可能となる。
【００５５】
なお、図３、図４では、同一表示部内のピクト部に着信情報を表示する例について説明したが、ピクト部を主表示部９ａでなく副表示部９ｂに表示するように構成し、着信時には、副表示部９ｂに携帯電話機の動作状態ではなく着信情報を表示するように構成することもできる。また、副表示部９ｂに機能キー（ファンクションキー）の機能（図４（ａ）の最下部の「戻る」「選択」「機能」）を表示するように構成し、着信時には、副表示部９ｂにファンクションキーの機能ではなく着信情報を表示するように構成することもできる。
【００５６】
図５は、本発明の実施の形態の携帯電話機における表示部の表示内容を説明する図であり、ピクト部でなく入力の妨げにならない位置に着信に関する情報（着信情報）を表示する表示領域を設けて着信情報を表示する例である。
【００５７】
図５（ａ）は、電話機のメモリダイヤル（電話帳）に電話番号の登録中の画面表示を示す。電話帳の入力項目には、名前、電話番号１、電話番号２、住所、メールアドレスの入力欄が設けられている。
【００５８】
図５（ｂ）は、携帯電話機に着信があり、設定モードが継続された場合の表示例（図２のステップＳ１０７）を示す。図５（ｂ）に示す状態では、電話番号１の途中まで入力されており、図中「■」で示すカーソルは、表示画面の上の方にあるので、画面の最下部に着信情報の表示領域を設けて、該表示領域に着信情報は表示される。
【００５９】
図５（ｃ）は、図５（ｂ）と同様に、携帯電話機に音声による通話の着信があり、設定モードが継続された場合の表示例（図２のステップＳ１０７）を示す。図５（ｃ）に示す状態では、メールアドレスの途中まで入力されており、図中「■」で示すカーソルは、表示画面の下の方にあるので、画面の最上部に着信情報の表示領域を設けて、該表示領域に着信情報は表示される。
【００６０】
図５（ｂ）、図５（ｃ）に示す表示状態では、着信情報として、着信があった旨を表示する「着信」の文字と、発信者の電話番号とが表示されている。なお、発信者電話番号でなく、発信者の電話番号に基づいてメモリダイヤルの記憶を検索して読み出した発信者名を表示するように構成してもよい。また、通話の着信でなくメールを受信した場合は、前述（図４）と同様に、メール発信者氏名の後にメール本文又はメールの件名を表示するように構成してもよい。
【００６１】
以上、入力操作を中断しないように画面最上部又は最下部に着信情報を表示する例について説明したが、画面の入力操作に支障がない位置に着信情報がポップアップして表示されるように構成することもできる。
【００６２】
図６は、本発明の実施の形態の携帯電話機における表示部の表示内容を説明する図であり、着信情報をポップアップして表示する例である。
【００６３】
図６も前図と同様に、携帯電話機に着信があり、設定モードが継続された場合の表示例（図２のステップＳ１０７）を示す。図６に示す状態では、携帯電話機が受信したメールが表示されている。着信情報は画面の中央部に着信情報表示領域を設けて、該表示領域に着信情報がポップアップ表示される。このポップアップ表示中に、メール表示の操作を継続すれば、ポップアップした着信情報の表示は消去される。
【００６４】
なお、通話の着信でなくメールを受信した場合は、前述（図４）と同様に、メール発信者氏名の後にメール本文又はメールの件名を表示するように構成してもよい。
【００６５】
また、以上、機能設定中やメモリダイヤル登録中に着信表示をする例について説明したが、メール作成中、画像表示中、ウェブブラウジング中（ホームページ閲覧中）、ＪＡＶＡ（登録商標）アプリ起動中の着信においても、ピクト部等の表示部（表示画面）の一部に着信情報を表示することによって、現在実行中の画面を保持したまま（すなわち、現在実行中の操作を中断することなく）、着信情報や、メール本文を確認することができる。
【００６６】
また、表示部への表示と共に、表示部に設けられたバックライトを点滅して、着信報知を強調することもできる。
【００６７】
また、音声による通信及びメールの着信について説明したが、プッシュ形サービスのように、携帯電話機側から何ら発信（リクエスト）せずに受信される情報の着信も本発明を適用することができる。
【図面の簡単な説明】
【図１】本発明の実施の形態の携帯電話機の構成を示すブロック図である。
【図２】本発明の実施の形態の携帯電話機の動作を示すフローチャートである。
【図３】本発明の実施の形態の携帯電話機の音声通話の着信時の表示例である。
【図４】本発明の実施の形態の携帯電話機のメールの着信時の表示例である。
【図５】本発明の実施の形態の携帯電話機の音声通話の着信時の表示例である。
【図６】本発明の実施の形態の携帯電話機の音声通話の着信時の表示例である。
【符号の説明】
１　　アンテナ
２　　送受信部
３　　ＲＦ制御部
４　　制御部
５　　メモリ（ＲＡＭ）
６　　メモリ（ＲＯＭ）
７　　操作部（キーボード）
８　　表示インターフェース
９　　表示部
９ａ　主表示部
９ｂ　副表示部
【図１】
2004007144.tif 000003
【図２】
2004007144.tif 000004
【図３】
2004007144.tif 000005
【図４】
2004007144.tif 000006
【図５】
2004007144.tif 000007
【図６】
2004007144.tif 000008